(57)【要約】【課題】所要形状（例えば、矩形状）の文様を表出してなる筬波織物及びその製織方法を提供する。【解決手段】直線状の地経糸と波線状の地緯糸とからなる地組織に文様を表出してなる筬波織物の製織方法であって、前記地組織を構成する該地経糸と該地緯糸とに対応した直線状の経線と波線状の緯線とからなる罫紙に所要形状の文様を描いて紋図を作成した後、当該地組織を製織しながら当該紋図に従って波線状の絵緯糸を織り込むことにより筬波織物に対して所要形状の文様を形成する。【選択図】  図１
2004162188.tif 000002
【特許請求の範囲】
【請求項１】
直線状の地経糸と波線状の地緯糸とからなる地組織に文様を表出してなる筬波織物であって、前記文様が前記地組織に織り込まれる波線状の絵緯糸を複数越連ねることにより所要形状に形成されていることを特徴とする筬波織物。
【請求項２】
直線状の地経糸と波線状の地緯糸とからなる地組織に文様を表出してなる筬波織物であって、前記地組織を構成する地経糸と地緯糸とに対応した直線状の経線と波線状の緯線とからなる罫紙に所要形状の文様を描いて紋図を作成した後に該地組織を製織しながら該紋図に従って波線状の絵緯糸を織り込むことにより所要形状の文様を形成したことを特徴とする筬波織物。
【請求項３】
前記地組織が絽織り組織である請求項１又は２記載の筬波織物。
【請求項４】
直線状の地経糸と波線状の地緯糸とからなる地組織に文様を表出してなる筬波織物の製織方法であって、前記地組織を構成する地経糸と地緯糸とに対応した直線状の経線と波線状の緯線とからなる罫紙に所要形状の文様を描いて紋図を作成した後、当該地組織を製織しながら当該紋図に従って波線状の絵緯糸を織り込むことにより所要形状の文様を形成することを特徴とする筬波織物の製織方法。
【発明の詳細な説明】
【０００１】
【発明の属する技術分野】
本発明は、所要形状の文様を表出してなる筬波織物及びその製織方法に関するものである。
【０００２】
【従来の技術】
周知の通り、織機を構成する部品である筬は、多数の筬羽を櫛歯状に整列させたものであり、製織時には、杼の案内役を果たすと共に経糸に対して緯糸を打ち込む働きも兼ねる重要な部品の一つである。
【０００３】
前記筬は、筬羽の配列によって数種類に分けることができるが、その内でも波筬は、地緯糸を打ち込む面が波打つように筬羽を整列させたものであり、当該波筬を用いて製織された織物は、直線状の経糸に対して波線状の緯糸が織り込まれた地組織の意匠性に優れた織物（以下、「筬波織物」という。）となる。
【０００４】
【発明が解決しようとする課題】
ところが、前記筬波織物は、地緯糸が波線状に織り込まれているため、当該筬波織物に絵緯糸を織り込んで文様を形成する場合に、直線状の経糸と直線状の緯糸とからなる平織りなどの地組織に絵緯糸を織り込む際に使用されている罫紙により紋図を作成して絵緯糸を織り込む位置を決定すると、形成された文様の形状が波線状の緯糸に沿って歪んでしまい所要形状に形成することができないという問題点がある。
【０００５】
例えば、筬波織物に矩形状の文様を形成する際に、直線状の経線と直線状の緯線とからなる前記従来の罫紙により紋図を作成して絵緯糸を織り込む位置を決定すると、図５に示すように、直線状の地経糸１００と波線状の地緯糸１０１とからなる地組織１０２に織り込まれた絵緯糸１０３によって形成された文様１０４の形状が、地緯糸１０１に沿って歪んだ横向きＳ字形状になってしまい矩形状に形成することができない。
【０００６】
そこで、本発明は、所要形状（例えば、矩形状）の文様を表出してなる筬波織物を得ることを技術的課題として、その具現化をはかるべく研究・実験を重ねた結果、直線状の地経糸と波線状の地緯糸とからなる地組織を構成する該地経糸と該地緯糸とに対応した直線状の経線と波線状の緯線とからなる罫紙に所要形状の文様を描いて紋図を作成した後、当該地組織を製織しながら当該紋図に従って波線状の絵緯糸を織り込むことにより文様を形成すれば、筬波織物にも所要形状の文様を形成することができるという刮目すべき知見を得、前記技術的課題を達成したものである。
【０００７】
【課題を解決するための手段】
前記技術的課題は、次の通りの本発明によって解決できる。
【０００８】
即ち、本発明に係る筬波織物は、直線状の地経糸と波線状の地緯糸とからなる地組織に文様を表出してなる筬波織物であって、前記文様が前記地組織に織り込まれる波線状の絵緯糸を複数越連ねることにより所要形状に形成されているものである。
【０００９】
また、本発明に係る筬波織物は、直線状の地経糸と波線状の地緯糸とからなる地組織に文様を表出してなる筬波織物であって、前記地組織を構成する地経糸と地緯糸とに対応した直線状の経線と波線状の緯線とからなる罫紙に所要形状の文様を描いて紋図を作成した後に該地組織を製織しながら該紋図に従って波線状の絵緯糸を織り込むことにより所要形状の文様を形成したものである。
【００１０】
さらに、本発明は、前記いずれかの筬波織物において、地組織が絽織り組織であるものである。
【００１１】
また、本発明に係る筬波織物の製織方法は、直線状の地経糸と波線状の地緯糸とからなる地組織に文様を表出してなる筬波織物の製織方法であって、前記地組織を構成する地経糸と地緯糸とに対応した直線状の経線と波線状の緯線とからなる罫紙に所要形状の文様を描いて紋図を作成した後、当該地組織を製織しながら当該紋図に従って波線状の絵緯糸を織り込むことにより所要形状の文様を形成するものである。
【００１２】
【発明の実施の形態】
以下、本発明の実施の形態を図面に基づき説明する。
【００１３】
実施の形態１．
【００１４】
図１は本実施の形態に係る筬波織物の組織を示した平面図であり、図２は図１に示す筬波織物の文様部分を拡大して示した平面図であり、図３は図２に示す文様部分のＡ区画を拡大して示した平面図であり、これらの図において、１は、直線状の地経糸２と波線状の地緯糸３とからなる絽織りの地組織４に波線状の絵緯糸５を織り込んで矩形状の文様６を表出してなる筬波織物である。
【００１５】
絵緯糸５は、地経糸２と地緯糸３とからなる地組織４に蛇行させて複数越連ねるように織り込まれおり、全体で一つの矩形状の文様６を形成している。
【００１６】
詳述すると、図２に示すように、１越目の地緯糸３から１０越目の地緯糸３の間に織り込まれた絵緯糸５によって文様６の上部が形成されており、また、１０越目の地緯糸３から３１越目の地緯糸３の間に織り込まれた絵緯糸５によって文様６の中央部が形成されており、さらに、３１越目の地緯糸３から３９越目の地緯糸３の間に織り込まれた絵緯糸５によって文様６の下部が形成されている。
【００１７】
１越目の地緯糸３から１０越目の地緯糸３の間に織り込まれた絵緯糸５は、１０越目の地緯糸３に近づくに連れて筬波織物１の表面側に長い間隔で表出させるように織り込まれており、表面側に表出された絵緯糸５の端部によって文様６における両側辺上部及び上辺の輪郭が形作られている。なお、５越目の地緯糸３から１０越目の地緯糸３の間に織り込まれた絵緯糸５は、文様６を形成しない部分（図２中、点線にて示された部分）が筬波織物１の裏面側に通されている。
【００１８】
１０越目の地緯糸３から３１越目の地緯糸３の間に織り込まれた絵緯糸５は、筬波織物１の表面側に同じ間隔で表出させるように織り込まれており、表面側に表出された絵緯糸５の端部によって文様６における両側辺中央部の輪郭が形作られている。
【００１９】
３１越目の地緯糸３から３９越目の地緯糸３の間に織り込まれた絵緯糸５は、３９越目の地緯糸３に近づくに連れて筬波織物１の表面側に短い間隔で表出させるように織り込まれており、表面側に表出された絵緯糸５の端部によって文様６における両側辺下部及び下辺の輪郭が形作られている。なお、３１越目の地緯糸３から３６越目の地緯糸３の間に織り込まれた絵緯糸５は、文様６を形成しない部分（図２中、点線にて示された部分）が筬波織物１の裏面側に通されている。
【００２０】
地経糸２は、図３に示すように、三本の経糸２ａ，２ｂ，２ｃを一組として形成されており、経糸２ａ（図３中、一組の経糸２ａ，２ｂ，２ｃにおいて右側に位置する経糸）は、２ｎ＋１（ｎは奇数）越目から２ｎ＋３越目までの地緯糸３を上にして交差させた後、２ｎ＋３越目の地緯糸３と２ｎ＋４越目の地緯糸３との間において経糸２ｂ（図３中、一組の経糸２ａ，２ｂ，２ｃにおいて中央に位置する経糸）の位置まで移動させて２ｎ＋４越目の地緯糸３を上にして交差させ、２ｎ＋４越目の地緯糸３と２ｎ＋５越目の地緯糸３との間において元の位置まで移動させ、これを経方向に繰り返すように織り込まれている。
【００２１】
経糸２ｂは、２ｎ＋１越目の地緯糸３を上にして交差させ、次に、２ｎ＋２越目の地緯糸３を下にして交差させ、続いて、２ｎ＋３越目の地緯糸３を上にして交差させた後、２ｎ＋３越目の地緯糸３と２ｎ＋４越目の地緯糸３との間において経糸２ｃ（図１中、一組の経糸２ａ，２ｂ，２ｃにおいて左側に位置する経糸）の位置まで移動させて２ｎ＋４越目の地緯糸３を上にして交差させ、２ｎ＋４越目の地緯糸３と２ｎ＋５越目の地緯糸４との間において元の位置まで移動させ、これを経方向に繰り返すようにして織り込まれている。
【００２２】
経糸２ｃは、２ｎ＋１越目の地緯糸３を下にして交差させ、次に、２ｎ＋２越目の地緯糸３を上にして交差させ、続いて、２ｎ＋３越目の地緯糸３を下にして交差させた後、２ｎ＋３越目の地緯糸３と２ｎ＋４越目の地緯糸３との間において経糸２ａ及び経糸２ｂの下を通して緯糸２ａの位置まで移動させて２ｎ＋４越目の地緯糸３を下にして交差させ、２ｎ＋４越目の地緯糸３と２ｎ＋５越目の地緯糸３との間において経糸２ａ及び経糸２ｂの下を通して元の位置まで移動させ、これを経方向に繰り返すようにして織り込まれている。
【００２３】
本実施の形態においては、地組織４に対して絵緯糸５を織り込む位置は、地組織４を構成する地経糸２と地緯糸３とに対応した直線状の経線と波線状の緯線とからなる罫紙に矩形状（所要形状）の文様を描いて紋図を作成して決定し、地組織４を製織しながら当該紋図に従って地組織４に対して絵緯糸５を織り込むことにより、筬波織物１を製織している。
【００２４】
前記罫紙における経線の本数は、隣り合う経線の間に収められる地経糸２の本数、地組織４の経糸密度（本／曲寸）及び筬波織物１の幅などによって決まり、緯線の本数は、隣り合う緯線の間に収められる地緯糸２の越数、地組織４の緯糸密度（本／曲寸）及び筬波織物１の長さなどにより決まる。また、緯線の形状は、地緯糸３の形状に一致させる必要があり、地緯糸３の形状は、波筬の地緯糸３を打ち込む面の形状によって決まるため、当該波筬面の形状と緯線の形状と一致させる必要がある。
【００２５】
本実施の形態においては、地組織４として絽織り組織を使用したが、紗文織りなどの他の織り組織を使用してもよい。また、地経糸２を三本の経糸２ａ，２ｂ，２ｃにより形成したが、一本の経糸により形成してもよい。
【００２６】
また、文様６を形成する絵緯糸５が地組織４に対して浮いた状態になる場合には、朱子とじや針とじ等の紋様とじ又は三綾とじや畦とじ等の箔とじなどの周知技法により、地組織４に対して浮いた状態にある絵緯糸５を地組織４に固定してもよい。
【００２７】
【実施例】
地経糸として絹糸２１中４本を撚り合わせた撚糸を２本合わせにしたものを用意し、地緯糸として絹糸２１中４本を撚り合わせた撚糸を２本合わせにしたものを用意した。また、絵緯糸として絹糸２１中１５本をゆるく撚り合わせた撚糸を２本合わせにしたも及び絹糸２１中１０本をゆるく撚り合わせた撚糸を２本合わせにしたものを用意した。
【００２８】
次に、地組織を構成する地緯糸や地経糸に対応した直線状の経線と波線状の緯線とからなる罫紙（４５横１０×１２）を用意し、該罫紙に鳳凰の文様を描いて紋図を作成した。
【００２９】
前記各糸を四本と五本との交ぜハツリである４００口のジャカードを備えた織機に供給すると共に、前記紋図のデータをコンピュータに入力した。そして、織機を起動させて、表裏共に緯糸密度４５本／曲寸・経糸密度１７８本／曲寸として三越絽織りを地組織とした筬波織物（本袋帯）を製織した。
【００３０】
製織された筬波織物には、図４に示すように、複数越連ねるように織り込まれた絵緯糸により鳳凰形状の文様６が歪むことなく形成された。
【００３１】
【発明の効果】
本発明によれば、直線状の地経糸と波線状の地緯糸とからなる地組織を構成する該地経糸と該地緯糸とに対応した直線状の経線と波線状の緯線とからなる罫紙に所要形状の文様を描いて紋図を作成し、当該紋図に従って地組織に対して波線状の絵緯糸を織り込むため、紋図に描いた文様が歪むことなく筬波織物に形成される。
【００３２】
従って、本発明の産業上利用性は非常に高いといえる。
【図面の簡単な説明】
【図１】実施の形態１に係る筬波織物の組織を示した平面図である。
【図２】図１に示す筬波織物の文様部分を示した部分拡大平面図である。
【図３】図２に示す文様部分の四角で囲んだ部分を示した部分拡大平面図である。
【図４】鳳凰の文様が形成された筬波織物を示した平面図である。
【図５】従来の方法により文様が形成された筬波織物を示した平面図である。
【符号の説明】
１  筬波織物
２，１００  地経糸
３，１０１  地緯糸
４，１０２  地組織
５，１０３  絵緯糸
６，１０４  文様
【図１】
2004162188.tif 000003
【図２】
2004162188.tif 000004
【図３】
2004162188.tif 000005
【図４】
2004162188.tif 000006
【図５】
2004162188.tif 000007